(57)【要約】【課題】空間を前後に仕切るパネルが前後両空間の圧力差によって水平方向に回転するように捩じれるのを防止する。【解決手段】防振装置３，３は、ドア枠５の左右両側に配設され、ドア側ブラケット１９は外縦枠１３に向かって左右方向に延びて防振ゴム２３と接合するドア側接合プレート３３，３３を有する。躯体側ブラケット２１は縦枠９の左側面９ａに向かって左右方向に延び、かつ前後方向から見てドア側接合プレート３３，３３と重なり合って、防振ゴム２３と接合する躯体側接合プレート４７，４７を有する。各防振ゴム２３は、ドア側接合プレート３３と躯体側接合プレート４７との間に配設されて両者を連結し、後側に向かって左右方向外側に傾斜している。【選択図】図７
2015052227.tif 000002
【特許請求の範囲】
【請求項１】
空間を前後に仕切るパネルと該パネルの外周を取り囲む躯体側部との間に配設されて、上記パネルに固定されたパネル側ブラケットと、上記躯体側部の該パネル側ブラケット対応箇所に設けられた躯体側ブラケットと、上記両ブラケット間に配設されて両者を連結する防振ゴムとを備え、上記パネルと躯体側部とを弾性連結する防振装置の取付構造であって、
上記防振装置は、上記パネルの上下両側及び左右両側の少なくとも一方に配設され、
上記パネル側ブラケットは、パネル側面に固定されたパネル側固定部と、該パネル側固定部から上記躯体側部に向かってパネル面に沿って延びて上記防振ゴムと接合するパネル側接合プレートと、を有する一方、
上記躯体側ブラケットは、上記躯体側部の上記パネル側ブラケット対応箇所に固定された躯体側固定部と、該躯体側固定部から上記パネル側面に向かってパネル面に沿って延び、かつ前後方向から見て上記パネル側接合プレートと重なり合うと共に、上記防振ゴムと接合する躯体側接合プレートと、を有し、
上記防振ゴムは、上記パネル側接合プレートと躯体側接合プレートとの間に配設されて両者を連結し、前後方向一方側に向かって上記パネル側面から離れるように傾斜していることを特徴とする防振装置の取付構造。
【請求項２】
請求項１に記載の防振装置の取付構造において、
上記防振装置は、上記パネルの左右両側に配設され、
上記パネル側ブラケットは、上下方向から見て左右方向外側に開放するＵ字状をなし、前後方向に間隔をあけて配置された一対の平行な上記パネル側接合プレートを有する一方、
上記躯体側ブラケットは、上下方向から見て左右方向内側に開放するＵ字状をなし、前後方向に間隔をあけて配置された一対の平行な上記躯体側接合プレートを有し、その一方が上記一対のパネル側接合プレートの間に配置され、
上記防振ゴムは、前後方向に間隔をあけて一対設けられ、その一方が上記一方の躯体側接合プレートと他方の上記躯体側接合プレートから遠い方の上記パネル側接合プレートとを連結する一方、その他方が上記他方の躯体側接合プレートと該他方の躯体側接合プレートに近い方の上記パネル側接合プレートとを連結することを特徴とする防振装置の取付構造。
【請求項３】
請求項１又は２に記載の防振装置の取付構造において、
上記パネル側固定部は、上記パネル側面に固定される矩形板状のパネル側固定プレートで構成され、
該パネル側固定プレートの上端部は、上記パネル側接合プレートの上端よりも上方に延び、かつ前後方向一方側に開口する切欠部が形成されている一方、
上記パネル側固定プレートの下端部は、上記パネル側接合プレートの下端よりも下方に延び、かつ前後方向一方側に開口する切欠部が形成され、
上記パネル側面から上記躯体側部に向かって延びる一対のボルト軸部が上記切欠部を挿通し、該各ボルト軸部に螺合するナットと上記パネル側面とによって上記上端部及び下端部が挟み込まれて固定されていることを特徴とする防振装置の取付構造。
【請求項４】
請求項１乃至３のいずれか１項に記載の防振装置の取付構造において、
上記躯体側固定部は、上記躯体側部に固定される矩形板状の躯体側固定プレートで構成され、
該躯体側固定プレートの上端部は、上記躯体側接合プレートの上端よりも上方に延び、かつ前後方向一方側に開口する切欠部が形成されている一方、
上記躯体側固定プレートの下端部は、上記躯体側接合プレートの下端よりも下方に延び、かつ前後方向一方側に開口する切欠部が形成され、
上記躯体側部から上記パネル側面に向かって延びる一対のボルト軸部が上記切欠部を挿通し、該各ボルト軸部に螺合するナットと上記躯体側部とによって上記上端部及び下端部が挟み込まれて固定されていることを特徴とする防振装置の取付構造。
【発明の詳細な説明】
【技術分野】
【０００１】
本発明は、空間を仕切るパネルと該パネルの外周を取り囲む躯体側部との間に配設され、該パネルと上記躯体側部とを弾性連結する防振ゴムを有する防振装置の取付構造に関する。
【背景技術】
【０００２】
特許文献１には、空間を前後に仕切るスライド式ドアに取り付けられる防振装置が開示されている。当該防振装置は、ドア枠の上枠とスライド式ドアが取り付けられた躯体との間に複数配設されている。各防振装置は、上枠に固定された枠側ブラケットと、躯体に固定された躯体側ブラケットとを備え、これらの間に配設された防振ゴムが両者を弾性連結している。枠側ブラケットは、前後方向から見てＶ字状をなし、Ｖ字の底部が上枠上面に固定されている。一方、躯体側ブラケットは、躯体のドア枠対向面の枠側ブラケットの左右両側に固定され、それぞれ枠側ブラケットの外側面と平行に配設されている。そして、防振ゴムは、枠側ブラケットと躯体側ブラケットとの間に配設されて両者を弾性連結し、ドア枠を支持している。各防振ゴムは、その圧縮方向が上下方向とほぼ一致すると共に、剪断方向が前後方向と一致し、ドア開閉時に弾性変形して躯体側への振動の伝達を抑制する。
【先行技術文献】
【特許文献】
【０００３】
【特許文献１】特許第４９０９０９号公報
【発明の概要】
【発明が解決しようとする課題】
【０００４】
ところで、空間を仕切るパネルが例えば玄関のドアである場合、屋外の風がドアに当たり、その風圧でドア枠が前後にバタつくことがある。
【０００５】
特許文献１の防振装置は上述の如く防振ゴムの剪断方向が前後方向と一致しているため、ドア枠は前後方向に若干移動可能である。したがって、この防振装置が取り付けられたドア枠は、風圧によって前後にバタつく虞がある。また、特許文献１の防振装置が上述の如く上枠だけに取り付けられているので、ドア枠は、左右にも移動することができる。したがって、ドア枠が左右方向にもバタつく虞がある。このようにドア枠が前後左右にバタつくことが可能なため、水平方向に回転するように捩れる虞がある。
【０００６】
本発明は、かかる点に鑑みてなされたものであり、その目的とするところは、空間を前後に仕切るパネルが前後両空間の圧力差によって水平方向に回転するように捩れるのを防止することにある。
【課題を解決するための手段】
【０００７】
上記の目的を達成するために、本発明は、空間を仕切るパネルの左右両側に防振装置を設けると共に、各防振装置の防振ゴムの形状及び配置を工夫したものである。
【０００８】
具体的には、本発明は、空間を前後に仕切るパネルと該パネルの外周を取り囲む躯体側部との間に配設されて、上記パネルに固定されたパネル側ブラケットと、上記躯体側部の該パネル側ブラケット対応箇所に設けられた躯体側ブラケットと、上記両ブラケット間に配設されて両者を連結する防振ゴムとを備え、上記パネルと躯体側部とを弾性連結する防振装置の取付構造を対象とし、次のような解決手段を講じた。
【０００９】
すなわち、第１の発明は、上記防振装置は、上記パネルの上下両側及び左右両側の少なくとも一方に配設され、上記パネル側ブラケットは、パネル側面に固定されたパネル側固定部と、該パネル側固定部から上記躯体側部に向かって左右方向に延びて上記防振ゴムと接合するパネル側接合プレートと、を有する一方、上記躯体側ブラケットは、上記躯体側部の上記パネル側ブラケット対応箇所に固定された躯体側固定部と、該躯体側固定部から上記パネル側面に向かって左右方向に延び、かつ前後方向から見て上記パネル側接合プレートと重なり合うと共に、上記防振ゴムと接合する躯体側接合プレートと、を有し、上記防振ゴムは、上記パネル側接合プレートと躯体側接合プレートとの間に配設されて両者を連結し、前後方向一方側に向かって上記パネル側面から離れるように傾斜していることを特徴とする。
【００１０】
第１の発明によれば、パネルによって仕切られた２つの空間に圧力差が生じると、パネルに圧力が作用し、このパネルに固定されたパネル側接合プレートが躯体側接合プレートに接近又は離間する。
【００１１】
パネル側接合プレートが躯体側接合プレートに接近する場合、左右両側の防振装置の防振ゴムが圧縮される。圧縮された防振ゴムは圧縮力に反発し、この反発力がパネル側接合プレートに作用する。このとき、防振ゴムが前後方向一方側に向かって左右方向外側に傾斜しているので、反発力は、パネル側接合プレートを躯体側接合プレートから離間させ且つ左右方向内側に向かう方向に作用する。すなわち、各防振ゴムは、パネルを反圧力方向に押圧すると共に、左右方向内側に押圧する。したがって、パネルは、左右両側の防振ゴムによって圧力差に起因する圧力に抗し、前後方向にバタつかず、さらに、左右両側の防振ゴムによって左右方向内側に押さえ付けられて、左右にもバタつかない。
【００１２】
一方、パネル側接合プレートが躯体側接合プレートから離間する場合、左右両側の防振装置の防振ゴムが前後方向に引っ張られ、それに抗するように収縮する。この収縮により、防振ゴムによる引張力がパネル側接合プレートに作用する。この引張力は、防振ゴムが前後方向一方側に向かって左右方向外側に傾斜しているので、パネル側接合プレートを躯体側躯体側接合プレートに接近させ且つ左右方向外側に向かう方向に作用する。すなわち、各防振ゴムは、パネルを反圧力方向に引っ張ると共に、左右方向外側に引っ張る。したがって、パネルは、左右両側の防振ゴムによって圧力差に起因する圧力に抗し、前後方向にバタつかず、さらに、左右両側の防振ゴムによって左右方向外側に引っ張られて、左右方向にもバタつかない。
【００１３】
以上より、前後空間の圧力差に起因する圧力がパネルに作用しても、パネルが前後にバタつかず、さらに、左右方向にも移動しない。したがって、パネルが水平方向に回転するように捩れるのを防止することができる。
【００１４】
防振装置がパネルの上下両側に配設されている場合にも、左右両側に配設されている場合と同様に、上下両側の防振ゴムがパネルを反圧力方向に押圧すると共に、パネルを上下方向内側に押圧又は上下方向外側に引っ張る。そのため、パネルが前後方向にバタつかず、左右方向にも移動しない。したがって、パネルが水平方向に回転するように捩れるのを防止することができる。
【００１５】
第２の発明は、第１の発明において、上記防振装置は、上記パネルの左右両側に配設され、上記パネル側ブラケットは、上下方向から見て左右方向外側に開放するＵ字状をなし、前後方向に間隔をあけて配置された一対の平行な上記パネル側接合プレートを有する一方、上記躯体側ブラケットは、上下方向から見て左右方向内側に開放するＵ字状をなし、前後方向に間隔をあけて配置された一対の平行な上記躯体側接合プレートを有し、その一方が上記一対のパネル側接合プレートの間に配置され、上記防振ゴムは、前後方向に間隔をあけて一対設けられ、その一方が上記一方の躯体側接合プレートと他方の上記躯体側接合プレートから遠い方の上記パネル側接合プレートとを連結する一方、その他方が上記他方の躯体側接合プレートと該他方の躯体側接合プレートに近い方の上記パネル側接合プレートとを連結することを特徴とする。
【００１６】
第２の発明によれば、各防振装置のパネル側ブラケット及び躯体側ブラケットが２個の防振ゴムによって連結されるので、パネルに圧力が作用した際にパネルの移動を規制する規制力が向上する。したがって、パネルの変形をより確実に防止することができる。
【００１７】
第３の発明は、第１又は第２の発明において、上記パネル側固定部は、上記パネル側面に固定される矩形板状のパネル側固定プレートで構成され、該パネル側固定プレートの上端部は、上記パネル側接合プレートの上端よりも上方に延び、かつ前後方向一方側に開口する切欠部が形成されている一方、上記パネル側固定プレートの下端部は、上記パネル側接合プレートの下端よりも下方に延び、かつ前後方向一方側に開口する切欠部が形成され、上記パネル側面から上記躯体側部に向かって延びる一対のボルト軸部が上記切欠部を挿通し、該各ボルト軸部に螺合するナットと上記パネル側面とによって上記上端部及び下端部が挟み込まれて固定されていることを特徴とする。
【００１８】
第３の発明によれば、パネル側ブラケットをパネル側面に取り付ける際に、先ず、パネル側面に設けられたボルト軸部にパネル側固定プレートの切欠部の開口端を合わせる。次に、パネル側ブラケットを前後方向一方側に移動させて切欠部にボルト軸部を導き入れ、ボルト軸部が切欠部を挿通させる。そして、ボルト軸部にナットを螺合させ、当該ナットとパネル側面とによってパネル側固定プレートを挟み込んで固定する。これにより、たとえパネルと躯体側部との間の隙間が狭くても、簡単にパネル側ブラケットをパネルに固定することができる。
【００１９】
第４の発明は、第１乃至第３のいずれか１つの発明において、上記躯体側固定部は、上記躯体側部に固定される矩形板状の躯体側固定プレートで構成され、該躯体側固定プレートの上端部は、上記躯体側接合プレートの上端よりも上方に延び、かつ前後方向一方側に開口する切欠部が形成されている一方、上記躯体側固定プレートの下端部は、上記躯体側接合プレートの下端よりも下方に延び、かつ前後方向一方側に開口する切欠部が形成され、上記躯体側部から上記パネル側面に向かって延びる一対のボルト軸部が上記切欠部を挿通し、該各ボルト軸部に螺合するナットと上記躯体側部とによって上記上端部及び下端部が挟み込まれて固定されていることを特徴とする。
【００２０】
第４の発明によれば、第３の発明と同様に、簡単に躯体側ブラケットを躯体側部に固定することができる。
【発明の効果】
【００２１】
以上、本発明によれば、前後空間の圧力差に起因する圧力がパネルに作用しても、パネルが前後方向にバタつかず、さらに、左右方向にも移動しない。したがって、パネルが水平方向に回転するように捩れるのを防止することができる。
【図面の簡単な説明】
【００２２】
【図１】本発明の実施形態に係る防振装置の取付構造が適用された自動ドア装置を示す正面図である。
【図２】図１のII-II線断面図である。
【図３】防振装置の斜視図であって、（ａ）は略上方から見た図であり、（ｂ）は前上方から見た図である。
【図４】防振装置を示す図であって、（ａ）は平面図であり、（ｂ）は正面図であり、（ｃ）は（ａ）のIVc-IVc線断面図である。
【図５】自動ドア装置を正面から見た図１のV部拡大相当図である。
【図６】ドアが前側から圧力を受ける際の図２相当図である。
【図７】ドアが後側から圧力を受ける際の図２相当図である。
【図８】実施形態に係る防振装置の取付構造の性能評価試験の結果を示す図であって、（ａ）は防振ゴムの圧縮方向における防振装置のばね挙動を示す図であり、（ｂ）は防振ゴムの剪断方向における防振装置のばね挙動を示す図である。
【図９】（ａ）は本発明の実施形態の変形例１に係る防振装置の図４（ａ）相当図であり、（ｂ）は変形例２に係る防振装置の図４（ａ）相当図である。
【図１０】（ａ）は本発明の実施形態の変形例３に係る防振装置の図４（ａ）相当図であり、（ｂ）は変形例４に係る防振装置の図４（ａ）相当図である。
【図１１】本発明の実施形態の変形例５に係る防振装置の図４（ａ）相当図である。
【発明を実施するための形態】
【００２３】
以下、本発明の実施形態を図面に基づいて説明する。尚、以下の好ましい実施形態の説明は本質的に例示に過ぎず、本発明、その適用物或いはその用途を制限することを意図するものではない。
【００２４】
図１は本発明の実施形態に係る防振装置の取付構造が適用された自動ドア装置１を示す正面図である。図２は図１のII-II線断面図である。この自動ドア装置１は、建物の玄関に設置され、該建物の躯体に形成された開口部（図示せず）内に嵌込固定されている。該自動ドア装置１は、複数の防振装置３を介して上記開口部内周縁に固定された矩形状の金属製ドア枠５を有し、その内側に左右に並ぶ４枚のドア７，７，…が取り付けられている。これら４枚のドア７，７，…のうち左右両端の２枚のドア７，７は、上記ドア枠５に固定されている。一方、中央２枚の上記ドア７，７は、図２に示すように上記左右両端のドア７，７よりも屋内空間Ａ側に配置され、上記ドア枠５内を左右方向にスライド移動可能となっている。これら中央のドア７，７が左右方向内側にスライド移動し、衝合することにより上記ドア枠５内を閉鎖する一方、該両ドア７，７が左右方向外側にスライド移動することにより、上記ドア枠５内を開放する。したがって、これら４枚のドア７，７及び上記ドア枠５によって屋内空間Ａと屋外Ｂとを仕切るパネルが構成されている。ここで、説明の便宜上、屋外Ｂ側及び室内空間Ａ側をそれぞれ前側及び後側とする。
【００２５】
上記ドア枠５は、床面Ｆにおける上記開口部の左右両端部から上方に延びる一対の縦枠９，９と、これら縦枠９，９の上端同士を連結するケース体１１とによって構成されている。該ケース体１１内には、上記中央のドア７，７を左右方向にスライド移動させるエンジン（図示せず）が格納されている。
【００２６】
上記ドア枠５の外周りには、上記開口部内側に取り付けられた金属製の外枠１３（躯体側部）が設置されている。この外枠１３は、上記床面Ｆの上記縦枠９の左右方向外側から上方に上記ケース体１１の上方まで延びる一対の外縦枠１５，１５と、これら外縦枠１５，１５の上端同士を連結する外上枠１７とを有している。そして、上記ドア枠５の縦枠９とそれに隣接する上記外縦枠１５との間には、９基の防振装置３，３，…が上下方向に互いに間隔をあけて配設されている。つまり、これら防振装置３，３，…は、上記ドア枠５の左右両側に配設され、そして上記縦枠９と外縦枠１５とを弾性連結している。また、上記ドア枠５のケース体１１とその上方の上記外上枠１７との間には、左右方向中心線を挟んで左右両側にそれぞれ防振装置３が７基ずつ左右方向に互いに間隔をあけて配設され、これら防振装置３，３，…が上記ケース体１１と外上枠１７とを弾性連結している。なお、図１では上記防振装置３，３，…を四角形で模式的に示している。
【００２７】
ここで、上記複数の防振装置３のうち、左側の上記縦枠９とその左側の上記外縦枠１５との間に配設された防振装置３の構成について説明する。なお、他の防振装置３は、当該防振装置３と略同一構成なので、これら他の防振装置３の構成についての説明を省略する。
【００２８】
上記縦枠９は、図２に示すように、断面矩形状をなし、その左側面９ａ（パネル側面）に上記防振装置３のドア側ブラケット１９（パネル側ブラケット）が取り付けられている。一方、上記外縦枠１５も断面矩形状をなし、その右側面１５ａに上記防振装置３の躯体側ブラケット２１が固定されている。これらドア側ブラケット１９と躯体側ブラケット２１との間には一対の防振ゴム２３，２３が配設され、これら防振ゴム２３，２３が両ブラケット１９，２１を連結している。
【００２９】
図３は防振装置３の斜視図であって、（ａ）は略上方から見た図であり、（ｂ）は前上方から見た図である。また、図４は防振装置３を示す図であって、（ａ）は平面図、（ｂ）は正面図、（ｃ）は（ａ）のIVc-IVc線断面図である。
【００３０】
上記ドア側ブラケット１９及び躯体側ブラケット２１は、互いに略同一の構成である。上記ドア側ブラケット１９は、鋼板を曲げ加工したものであって、上下方向から見て左方に開放するＵ字状をなしている。該ドア側ブラケット１９は、上記縦枠９の左側面９ａに固定された平板状のドア側固定プレート２５を有し、このドア側固定プレート２５は、矩形状のドア側固定プレート本体２７と、その上下両端から上下方向外方に突出する取付部２９，２９と、を有している。該各取付部２９は、上下方向中央部に前方に開口する切欠部３１が形成され、全体として略Ｃ字状をなしている。各切欠部３１は、図４（ｃ）に示すように、前半部分が矩形状をなすと共に、後半部分が半円形状をなしている。また、上記ドア側固定プレート本体２７の前後方向両端には、上記防振ゴム２３と接合するドア側接合プレート３３，３３がドア７，７，…に平行に左方に延びている。該ドア側接合プレート３３，３３は、互いに同一矩形状をなし、平行に延びている。上記取付部２９，２９は、これらドア側接合プレート３３，３３よりも上下方向外方に延びている。
【００３１】
図５は図１のV部を前方から見た拡大図である。上記縦枠９の左側面９ａには、一対のボルト３５，３５が上下方向に間隔をあけて取り付けられている。該各ボルト３５は、頭部が上記縦枠９内に埋設され、軸部３５ａが上記縦枠９の左側面９ａから左方に延びるように取り付けられている。上記各ボルト軸部３５ａは、上記取付部２９の切欠部３１内を挿通し、ナット３７と螺合している。このナット３７と上記縦枠９の左側面９ａとによって上記取付部２９が挟み込まれている。このようにして、上記ドア側ブラケット１９が上記縦枠９に固定されている。
【００３２】
一方、上記躯体側ブラケット２１は、鋼板を曲げ加工したものであって、図２及び図４（ａ）に示すように上下方向から見て右方に開放するＵ字状をなしている。該躯体側ブラケット２１は、上記外縦枠１５の右側面１５ａの上記ドア側ブラケット１９対応箇所に固定された平板状の躯体側固定プレート３９を有し、この躯体側固定プレート３９は、矩形状の躯体側固定プレート本体４１と、その上下両端から上下方向外方に突出する取付部４３，４３と、を有している。該各取付部４３は、上下方向中央部に前方に開口する切欠部４５が形成され、全体として略Ｃ字状をなしている。該各切欠部４５は、図４（ｃ）に示すように、前半部分が矩形状をなすと共に、後半部分が半円形状をなしている。また、上記躯体側固定プレート本体４１の前後方向両端から矩形状の躯体側接合プレート４７，４７がドア７，７，…に平行に左方に延びている。上記取付部４３，４３は、これら躯体側接合プレート４７，４７よりも上下方向外方に延びている。
【００３３】
上記外縦枠１５の右側面１５ａには、図５に示すように、上記ドア側ブラケット１９固定用の上記一対のボルト３５，３５と対向するように一対のボルト３５，３５が上下方向に間隔をあけて取り付けられている。該各ボルト３５は、頭部が上記外縦枠１５内に埋設され、軸部３５ａが上記外縦枠１５の右側面１５ａから右方に延びるように取り付けられている。上記各ボルト軸部３５ａは、上記取付部４３の切欠部４５内を挿通し、ナット３７が螺合している。このナット３７と上記外縦枠１５の右側面１５ａとによって上記取付部４３が挟み込まれている。このようにして、上記躯体側ブラケット２１が上記外縦枠１５に固定されている。
【００３４】
上記ドア側ブラケット１９は、上記躯体側ブラケット２１よりも前方に僅かにずれて配置されている。具体的には、図２乃至図４に示すように、上記両ドア側接合プレート３３，３３のうち後側のドア側接合プレート３３は、上記両躯体側接合プレート４７，４７の間に配置されている。言い換えると、上記両躯体側接合プレート４７，４７のうち前側の躯体側接合プレート４７が上記両ドア側接合プレート３３，３３の間に配置されている。
【００３５】
そして、前後方向から見て、上記前側のドア側接合プレート３３の左右方向中央右寄りの位置から左端までの領域と、上記前側の躯体側接合プレート４７の左右方向中央左寄りの位置から右端までの領域とが重なり合っている。また、前後方向から見て、上記後側のドア側接合プレート３３の左右方向中央右寄りの位置から左端までの領域と、上記後側の躯体側接合プレート４７の左右方向中央左寄りの位置から右端までの領域とが重なり合っている。
【００３６】
上記一対の防振ゴム２３，２３は、前後方向に間隔をあけて配置されている。当該防振ゴム２３，２３は、各々四角柱状をなし、上下方向から見て後側に向かって左方に傾斜する平行四辺形状をなしている。
【００３７】
前側の上記防振ゴム２３は、上記前側のドア側接合プレート３３と、上記前側の躯体側接合プレート４７との間に配設されている。この前側の防振ゴム２３は、その前端面が上記前側のドア側接合プレート３３後面の左右方向中央部、具体的には、当該後面の左右方向中央の左寄りの位置から右寄りの位置までの領域に接合し、その後端面が上記前側の躯体側接合プレート４７前面の左右方向中央部、具体的には、当該前面の左右方向中央の左寄りの位置から右寄りの位置までの領域に接合している。
【００３８】
一方、後側の上記防振ゴム２３は、上記後側のドア側接合プレート３３と、上記後側の躯体側接合プレート４７との間に配設されている。この後側の防振ゴム２３は、その前端面が上記後側のドア側接合プレート３３後面の左右方向中央部、具体的には、当該後面の左右方向中央の左寄りの位置から右寄りの位置までの領域に接合し、その後端面が上記後側の躯体側接合プレート４７前面の左右方向中央部、具体的には、当該前面の左右方向中央の左寄りの位置から右寄りの位置までの領域に接合している。
【００３９】
したがって、上記前側の防振ゴム２３の上記前側のドア側接合プレート３３との接合部は、前後方向から見て、上記後側の防振ゴム２３の上記後側のドア側接合プレート３３との接合部と重なり合っている。また、上記前側の防振ゴム２３の上記前側の躯体側接合プレート４７との接合部は、前後方向から見て、上記後側の防振ゴム２３の上記後側の躯体側接合プレート４７との接合部と重なり合っている。
【００４０】
なお、上記ドア枠５の上枠１７に配設された防振装置３，３，…のドア側ブラケット１９及び躯体側ブラケット２１は、左右方向から見てＵ字状をなし、防振ゴム２３は、左右方向から見て後側に向かって上方に傾斜している。
【００４１】
次に、上記ドア７，７，…が屋外Ｂの風を受ける等、前側から圧力を受ける際の上記防振装置３，３，…の動作について図６を参照して説明する。図６は上記ドア７，７，…が前側から圧力を受ける際の図２相当図であり、実線は圧力を受けていない状態を示し、破線は圧力を受けた状態を示す。なお、図６では、上記４枚のドア７，７，…のうち中央の２枚のドア７，７を省略している。
【００４２】
４枚のドア７，７，…が前側から圧力を受けると、これらドア７，７，…は、後方に押される。すると、これらドア７，７，…が取り付けられたドア枠５も後方に押される。このとき、左右両側の防振装置３，３は、同様の動作をするため、ここでは、主に左側の防振装置３の動作について説明し、右側の防振装置３の動作について簡単に説明する。
【００４３】
ドア枠５が前側から押されると、その左側に取り付けられたドア側ブラケット１９が後方にスライド移動する。ここで、躯体側ブラケット２１は躯体側に固定されていて変位せず、ドア側ブラケット１９だけが後方にスライド移動する。したがって、ドア側ブラケット１９に形成された２枚のドア側接合プレート３３，３３は、後方にスライド移動して、それぞれの後側に配置された躯体側接合プレート４７，４７に接近する。
【００４４】
この接近時に、防振装置３の各防振ゴム２３は、前後方向に圧縮される。圧縮された各防振ゴム２３は、前後方向に反発力Ｆ１を発揮する。ここで、各防振ゴム２３は、上述の如く、後側に向かって左方に傾斜しているので、その反発力Ｆ１は、前側に向かって右方に傾斜する方向に作用する。したがって、ドア側接合プレート３３，３３は、防振ゴム２３，２３によって前側に向かって右方に傾斜する方向に押される。つまり、ドア側ブラケット１９は、ドア７，７，…に作用する圧力に抗するように前方に押圧され、かつ右方に押圧される。
【００４５】
一方、右側の防振装置３では、ドア側ブラケット１９が防振ゴム２３，２３によって前左方に押圧される。
【００４６】
その結果、ドア枠５は、左右両側の防振装置３，３によって、ドア７，７，…に作用する圧力に抗するように前方に押圧され、かつ左右方向に挟み込まれる。したがって、ドア枠５は、前後方向にバタつかず、さらに、左右方向にもバタつかない。よって、ドア枠５が水平方向に回転するように捩じれない。
【００４７】
一方、上記ドア７，７，…が室内空間Ａから圧力を受ける際の上記防振装置３，３，…の動作について図７を参照して説明する。図７は上記ドア７，７，…が後側から圧力を受ける際の図２相当図であり、実線は圧力を受けていない状態を示し、破線は圧力を受けた状態を示す。なお、図７では、上記４枚のドア７，７，…のうち中央の２枚のドア７，７を省略している。
【００４８】
４枚のドア７，７，…が後方の室内空間Ａから圧力を受けると、これらドア７，７，…は、前方に押される。すると、これらドア７，７，…が取り付けられたドア枠５も前方に押される。このとき、左右両側の防振装置３，３は、同様の動作をするため、ここでは、主に左側の防振装置３の動作について説明し、右側の防振装置３の動作について簡単に説明する。
【００４９】
ドア枠５が後側から押されると、ドア側ブラケット１９が前方にスライド移動する。ここで、躯体側ブラケット２１は躯体側に固定されていて変位せず、ドア側ブラケット１９だけが前方にスライド移動する。したがって、ドア側ブラケット１９に形成された２枚のドア側接合プレート３３，３３は、前方にスライド移動し、それぞれの後側に配置された躯体側ブラケット２１の躯体側接合プレート４７，４７から離間する。
【００５０】
この離間時に、防振装置３の各防振ゴム２３は、前後方向に引っ張られる。引っ張られた各防振ゴム２３は、収縮しようとして引張力Ｆ２を発揮する。ここで、各防振ゴム２３は上述の如く後側に向かって左方に傾斜しているので、引張力Ｆ２は、後側に向かって左方に傾斜する方向に作用する。したがって、ドア側接合プレート３３，３３は、防振ゴム２３，２３によって後左方に引っ張られる。つまり、ドア側ブラケット１９は、防振ゴム２３，２３によって、ドア７，７，…に作用する圧力に抗するように後方に引っ張られ、かつ左方に引っ張られる。
【００５１】
一方、右側の防振装置３では、ドア側ブラケット１９が防振ゴム２３，２３によって後右方に引っ張られる。
【００５２】
その結果、ドア枠５は、左右両側の防振装置３，３によって、ドア７，７，…に作用する圧力に抗するように後方に引っ張られ、かつ左右方向外側に引っ張られる。したがって、ドア枠５は、前後方向にバタつかず、さらに、左右方向にもバタつかない。よって、ドア枠５が水平方向に回転するように捩じれない。
【００５３】
また、上枠１７に配設された防振装置３の防振ゴム２３は、後側に向かって上方に傾斜しているので、ドア７，７，…が屋外Ｂから圧力を受ける際、防振ゴム２３が圧縮され、その反発力によってドア枠５が圧力に抗するように前下方に押圧される。また、ドア7，7，…が室内空間Ａから圧力を受ける際、防振ゴム２３が引っ張られ、その引張力によってドア枠５が圧力に抗するように後上方に引っ張られる。したがって、ドア枠５は、前後方向にバタつかず、さらに左右方向にも移動しない。よって、ドア枠５が水平方向に回転するように捩れるのをさらに防止することができる。
【００５４】
以上のように、ドア７，７，…が前後方向に押圧されても、左右両側の防振装置３がドア枠５の前後左右の移動を規制するため、ドア枠５が水平方向に回転するように捩れるのを防止することができる。
【００５５】
（防振ゴムの傾き度合の性能評価試験）
本願発明者らは、防振ゴム２３の傾き度合の性能評価試験を行った。この試験では、空間を前後に仕切るパネルの左右両側に防振装置３，３を設置し、当該パネルに後側から圧力をかけた際の防振装置３，３のばね挙動を測定した。図８は性能評価試験の結果を示す図であって、（ａ）は防振装置３，３の圧縮方向における挙動を示す図であり、（ｂ）は防振装置３，３の剪断方向における挙動を示す図である。図８（ａ）の横軸は防振ゴム２３の圧縮方向の変位を示し、縦軸は防振ゴム２３に作用する圧縮方向の荷重を示している。また、図８（ｂ）の横軸は防振ゴム２３の剪断方向の変位を示し、縦軸は防振ゴム２３に作用する剪断方向の荷重を示している。各図において、正方形のプロットは防振ゴム２３の傾きが０度の場合における挙動を示し、三角形のプロットは防振ゴム２３が前後方向に対して３０度傾斜している場合の挙動を示し、菱形のプロットは防振ゴム２３が前後方向に対して６０度傾斜している場合の挙動を示している。
【００５６】
図８（ａ）から分かるように、防振ゴム２３の圧縮方向のばね挙動は、防振ゴム２３の傾き角度にほぼ無関係であった。また、図８（ｂ）から分かるように、防振ゴム２３の傾き角度が０度の場合に防振ゴム２３が剪断方向に変位した。一方、防振ゴム２３の傾き角度が３０度、及び６０度のときに防振ゴム２３は剪断方向にほとんど荷重がかからず、剪断方向に変位しなかった。したがって、防振ゴム２３を前後方向に対して傾けることにより、パネルが左右方向にほとんど変位しないことが分かった。なお、防振ゴム２３の傾き角度は、前後方向に対して４５度以上６０度以下が好ましい。
【００５７】
−発明の実施形態の効果−
上記実施形態によれば、上述の如く、ドア枠５が前側及び後側から圧力を受ける際に、ドア枠５が水平方向に回転するように捩れるのを防止することができる。
【００５８】
また、上記実施形態によれば、各防振装置３のドア側ブラケット１９及び躯体側ブラケット２１が２個の防振ゴム２３，２３によって連結されるので、ドア７，７，…に圧力が作用した際にドア枠５の移動を規制する規制力が向上する。したがって、ドア枠５の変形をより確実に防止することができる。
【００５９】
さらに、上記実施形態によれば、ドア側ブラケット１９をドア枠５の右側面１５ａに取り付ける際には、先ず、ドア側固定プレート２５の切欠部３１，３１の開口端を当該右側面１５ａから突出するボルト軸部３５ａ，３５ａに合わせる。次に、ドア側ブラケット１９を前方又は後方に移動させて切欠部３１，３１にボルト軸部３５ａ，３５ａを導き入れ、ボルト軸部３５ａ，３５ａを切欠部３１，３１に挿通させる。続いて、ボルト軸部３５ａ，３５ａにナット３７，３７を螺合させてドア側固定プレート２５をナット３７，３７とドア枠５の右側面１５ａとによって挟み込んで固定する。これにより、たとえドア枠５と外縦枠１５との間の隙間が狭くても、簡単にドア側ブラケット１９をドア枠５に固定することができる。躯体側ブラケット２１も同様に簡単に外縦枠１５に固定することができる。
【００６０】
（変形例１）
図９（ａ）は本実施形態の変形例１に係る防振装置３の図４（ａ）相当図である。本変形例は、前後両側の防振ゴム２３，２３の両ブラケット１９，２１との接合部分の位置が上記実施形態と異なる。その他の構成は上記実施形態とほぼ同じなので、ここではそれらの説明を省略する。
【００６１】
上記前側の防振ゴム２３は、その前端面が上記前側のドア側接合プレート３３後面の左半部分から左右方向中央右寄りの位置までの領域に接合し、その後端面が上記前側の躯体側接合プレート４７前面の右半部分から左右方向中央左寄りの位置までの領域に接合している。
【００６２】
一方、上記後側の防振ゴム２３は、その前端面が上記後側のドア側接合プレート３３後面の左半部分から左右方向中央右寄りの位置までの領域に接合し、その後端面が上記後側の躯体側接合プレート４７前面の右半部分から左右方向中央左寄りの位置までの領域に接合している。
【００６３】
したがって、上記前側の防振ゴム２３の上記前側のドア側接合プレート３３との接合部は、前後方向から見て、上記後側の防振ゴム２３の上記後側のドア側接合プレート３３との接合部と重なり合っている。また、上記前側の防振ゴム２３の上記前側の躯体側接合プレート４７との接合部は、前後方向から見て、上記後側の防振ゴム２３の上記後側の躯体側接合プレート４７との接合部と重なり合っている。
【００６４】
この構成により、上記実施形態と同様に、前後空間の圧力差に起因する圧力がドア４，４，…に作用しても、ドア４，４，…及びドア枠５が前後にバタつかず、さらに、左右方向にも移動しない。したがって、ドア枠５が水平方向に回転するように捩じれるのを防止することができる。
【００６５】
（変形例２）
図９（ｂ）は本実施形態の変形例２に係る防振装置３の図４（ａ）相当図である。本変形例は、両ブラケット１９，２１の配置及び前後両側の防振ゴム２３，２３の当該両ブラケット１９，２１との接合部分の位置が上記実施形態と異なる。その他の構成は上記実施形態とほぼ同じなので、ここではそれらの説明を省略する。
【００６６】
上記前側のドア側接合プレート３３及び上記前側の躯体側接合プレート４７は、前後方向において重なり合っている。また、上記後側のドア側接合プレート３３及び上記後側の躯体側接合プレート４７も、前後方向において重なり合っている。
【００６７】
そして、上記前側の防振ゴム２３は、その前端面が上記前側のドア側接合プレート３３後面の右半部分に接合し、その後端面が上記前側の躯体側接合プレート４７前面の右端左寄りの位置から左右方向中央やや右寄りの位置までの領域に接合している。
【００６８】
一方、上記後側の防振ゴム２３は、その前端面が上記後側のドア側接合プレート３３後面の左端右寄りの位置から左右方向中央やや右寄りの位置の領域に接合に接合し、その後端面が上記後側の躯体側接合プレート４７前面の左半部分に接合している。
【００６９】
したがって、上記前側の防振ゴム２３の上記前側のドア側接合プレート３３との接合部は、前後方向から見て、上記後側の防振ゴム２３の上記後側のドア側接合プレート３３との接合部よりも右側に位置している。また、上記前側の防振ゴム２３の上記前側の躯体側接合プレート４７との接合部は、前後方向から見て、上記後側の防振ゴム２３の上記後側の躯体側接合プレート４７との接合部よりも右側に位置している。
【００７０】
この構成により、上記実施形態と同様に、前後空間の圧力差に起因する圧力がドア４，４，…に作用しても、ドア４，４，…及びドア枠５が前後にバタつかず、さらに、左右方向にも移動しない。したがって、ドア枠５が水平方向に回転するように捩じれるのを防止することができる。
【００７１】
（変形例３）
図１０（ａ）は本実施形態の変形例２に係る防振装置３の図４（ａ）相当図である。本変形例は、前後両側の防振ゴム２３，２３の形状及びこれらの両ブラケット１９，２１との接合部分の位置が上記実施形態と異なる。その他の構成は上記実施形態とほぼ同じなので、ここではそれらの説明を省略する。
【００７２】
上記両防振ゴム２３，２３は、四角柱状をなし、上下方向から見て前側に行くに従って左右方向幅が大きくなっている。
【００７３】
そして、上記前側の防振ゴム２３は、その前端面が上記前側のドア側接合プレート３３後面の右半部分の左右方向中央の位置から当該後面の左右方向中央左寄りの位置までの領域に接合し、その後端面が上記前側の躯体側接合プレート４７前面の右端左寄りの位置から左右方向中央右寄りの位置までの領域に接合している。したがって、上記前端面と上記前側のドア側接合プレート３３後面との接合面積は、上記後端面と上記前側の躯体側接合プレート４７前面との接合面積よりも大きい。
【００７４】
一方、上記後側の防振ゴム２３は、その前端面が上記後側のドア側接合プレート３３後面の左半部分の左右方向中央の位置から当該後面の左右方向中央左寄りの位置までの領域に接合し、その後端面が上記後側の躯体側接合プレート４７前面の右端左寄りの位置から左右方向中央右寄りの位置までの領域に接合している。したがって、上記前端面と上記後側のドア側接合プレート３３後面との接合面積は、上記後端面と上記後側の躯体側接合プレート４７前面との接合面積よりも大きい。
【００７５】
そうして、上記前側の防振ゴム２３の上記前側のドア側接合プレート３３との接合部は、前後方向から見て、上記後側の防振ゴム２３の上記後側のドア側接合プレート３３と重なり合っている。また、上記前側の防振ゴム２３の上記前側の躯体側接合プレート４７との接合部は、前後方向から見て、上記後側の防振ゴム２３の上記後側の躯体側接合プレート４７との接合部と重なり合っている。
【００７６】
この構成により、上記実施形態と同様に、前後空間の圧力差に起因する圧力がドア４，４，…に作用しても、ドア４，４，…及びドア枠５が前後にバタつかず、さらに、左右方向にも移動しない。したがって、ドア枠５が水平方向に回転するように捩じれるのを防止することができる。
【００７７】
（変形例４）
図１０（ｂ）は本実施形態の変形例４に係る防振装置３の図４（ａ）相当図である。本変形例は、両ブラケット１９，２１の配置及び前後両側の防振ゴム２３，２３と両ブラケット１９，２１との接合関係が上記実施形態と異なる。その他の構成は上記実施形態とほぼ同じなので、ここではそれらの説明を省略する。
【００７８】
上記躯体側ブラケット２１の躯体側固定プレート３９は、上記ドア側ブラケット１９のドア側固定プレート２５よりも前後方向幅が大きく、該ドア側ブラケット１９が上記躯体側ブラケット２１の内側に配置されている。
【００７９】
そして、上記前側のドア側接合プレート３３が上記前側の躯体側接合プレート４７の後側に配置され、該前側のドア側接合プレート３３の左端から右半部分の左右方向中央の位置までの部分が前後方向において上記前側の躯体側接合プレート４７の右端から左半部分の左右方向中央の位置までの部分と重なり合っている。
【００８０】
また、上記後側のドア側接合プレート３３が上記後側の躯体側接合プレート４７の前側に配置され、該後側のドア側接合プレート３３の左端から右半部分の左右方向中央の位置までの部分が前後方向において上記後側の躯体側接合プレート４７の右端から左半部分の左右方向中央の位置までの部分と重なり合っている。
【００８１】
そして、上記前側の防振ゴム２３は、上記前側のドア側接合プレート３３と前側の躯体側接合プレート４７との間に配設され、その前端面が上記前側の躯体側接合プレート４７後面の左端右寄りの位置から左右方向中央左寄りの位置までの領域に接合し、その後端面が上記前側のドア側接合プレート３３前面の左端右寄りの位置から左右方向中央右寄りの位置までの領域に接合している。
【００８２】
一方、上記後側の防振ゴム２３は、上記後側のドア側接合プレート３３と後側の躯体側接合プレート４７との間に配設され、その前端面が上記後側の躯体側接合プレート４７後面の左端右寄りの位置から左右方向中央左寄りの位置までの領域に接合し、その後端面が上記前側のドア側接合プレート３３前面の右端右寄りの位置から左右方向中央左寄りの位置までの領域に接合している。
【００８３】
そうして、上記前側の防振ゴム２３の上記前側の躯体側接合プレート４７との接合部は、前後方向から見て、上記後側の防振ゴム２３の上記後側のドア側接合プレート３３と重なり合っている。また、上記前側の防振ゴム２３の上記前側のドア側接合プレート３３との接合部は、前後方向から見て、上記後側の防振ゴム２３の上記後側の躯体側接合プレート４７との接合部と重なり合っている。
【００８４】
この構成により、上記実施形態と同様に、前後空間の圧力差に起因する圧力がドア４，４，…に作用しても、ドア４，４，…及びドア枠５が前後にバタつかず、さらに、左右方向にも移動しない。したがって、ドア枠５が水平方向に回転するように捩じれるのを防止することができる。
【００８５】
（変形例５）
図１１は本実施形態の変形例５に係る防振装置３の図４（ａ）相当図である。本変形例は、両ブラケット１９，２１の形状及び配置と、前後両側の防振ゴム２３，２３と両ブラケット１９，２１との接合関係とが上記実施形態と異なる。その他の構成は上記実施形態とほぼ同じなので、ここではそれらの説明を省略する。
【００８６】
ドア側ブラケット４９は、上下方向から見てＴ字状をなしている。ドア側ブラケット４９のドア側固定プレート５１は、前後方向に沿って形成され、その前後方向中央から左方に向かってドア側接合プレート５３が延びている。このドア側接合プレート５３は、上記躯体側接合ブラケット２１の前後両側の躯体側接合プレート４７，４７の間に配置されている。上記ドア側接合プレート５３の左端から左半部分の左右方向中央までの部分は、前後方向において、上記両躯体側接合プレート４７，４７の右端から右半部分の左右方向中央までの部分と重なり合っている。
【００８７】
そして、上記前側の防振ゴム２３は、上記前側の躯体側接合プレート４７と上記ドア側接合プレート５３との間に配設され、その前端面が上記前側の躯体側接合プレート４７後面の右端左寄りの位置から左右方向中央までの領域と接合し、その後端面が上記ドア側接合プレート５３前面の左端右寄りの位置から左右方向中央までの領域と接合している。
【００８８】
一方、上記後側の防振ゴム２３は、上記ドア側接合プレート５３と上記後側の躯体側接合プレート４７との間に配設され、その前端面が上記ドア側接合プレート５３後面の左端右寄りの位置から左右方向中央までの領域と接合し、その後端面が上記後側の躯体側接合プレート４７前面の右端左寄りの位置から左右方向中央までの領域と接合している。
【００８９】
そうして、上記前側の防振ゴム２３の上記前側の躯体側接合プレート４７との接合部は、前後方向から見て、上記後側の防振ゴム２３の上記ドア側接合プレート５３と重なり合っている。また、上記前側の防振ゴム２３の上記ドア側接合プレート５３との接合部は、前後方向から見て、上記後側の防振ゴム２３の上記後側の躯体側接合プレート４７との接合部と重なり合っている。
【００９０】
この構成により、上記実施形態と同様に、前後空間の圧力差に起因する圧力がドア４，４，…に作用しても、ドア４，４，…及びドア枠５が前後にバタつかず、さらに、左右方向にも移動しない。したがって、ドア枠５が水平方向に回転するように捩じれるのを防止することができる。
【００９１】
（その他の実施形態）
上記実施形態では、空間を仕切るパネルとして建物の玄関に設置された自動ドア装置を例に説明したが、これに限定されず、このようなパネルとして例えば室内空間を仕切るドアやパーティションなどでもよい。その際、防振装置３，３，…は、パネル外周部においてパネルを挟んで互いに対向するように配設されていればよい。したがって、パネルの左右両側だけでなく、上下両側に配設してもよく、さらに、パネルの対角線上にも互いに対向するように配設してもよい。
【００９２】
また、上記実施形態では、ドア側固定プレート２５及び躯体側固定プレート３９の上下両端部に取付部２９，２９，４３，４３を設けると共に、これら取付部２９，２９，４３，４３をボルト３５及びナット３７を用いて固定しているが、これに限定されず、他の固定手段によって上記ドア側固定プレート２５及び躯体側固定プレート３９を固定してもよい。
【産業上の利用可能性】
【００９３】
以上説明したように、本発明に係る防振装置の取付構造は、空間を前後に仕切るパネルが前後両空間の圧力差に起因する圧力により水平方向に回転するように捩れるのを防止する用途に適用することができる。
【符号の説明】
【００９４】
３      防振装置
５      ドア枠（パネル）
７      ドア（パネル）
９ａ    左側の縦枠の左側面（パネル側面）
１３    外枠（躯体側部）
１９    ドア側ブラケット（パネル側ブラケット）
２１    躯体側ブラケット
２３    防振ゴム
２５    ドア側固定プレート（パネル側固定部、パネル側固定プレート）
２９    取付部（パネル側固定プレートの上端部、下端部）
３１    切欠部
３３    ドア側接合プレート（パネル側接合プレート）
３５ａ  ボルト軸部
３７    ナット
３９    躯体側固定プレート（躯体側固定部）
４３    取付部（躯体側固定プレートの上端部、下端部）
４５    切欠部
４７    躯体側接合プレート
【図１】
2015052227.tif 000003
【図２】
2015052227.tif 000004
【図３】
2015052227.tif 000005
【図４】
2015052227.tif 000006
【図５】
2015052227.tif 000007
【図６】
2015052227.tif 000008
【図７】
2015052227.tif 000009
【図８】
2015052227.tif 000010
【図９】
2015052227.tif 000011
【図１０】
2015052227.tif 000012
【図１１】
2015052227.tif 000013